(57)【要約】【課題】各電気光学素子の光量のムラを小規模で簡素な駆動回路によって低減する。【解決手段】電気光学装置Ｈは、駆動信号Ｘに応じた光量となる複数の電気光学素子Ｅと、駆動信号Ｘを出力する複数の単位回路Ｕと、補正データＤに応じた制御電流ＩCを各々が生成する複数の電流生成回路２２とを具備する。複数の単位回路Ｕは、電流生成回路２２が生成した制御電流ＩCと電気光学素子Ｅに指定された階調とに応じた駆動信号Ｘを生成する複数の独立型単位回路Ｕaと、ひとつの独立型単位回路Ｕaに供給される制御電流ＩCと他の独立型単位回路Ｕaに供給される制御電流ＩCと電気光学素子Ｅに指定された階調とに応じた駆動信号Ｘを生成する従属型単位回路Ｕbとを含む。【選択図】図２
2008036990.tif 000002
【特許請求の範囲】
【請求項１】
駆動信号に応じた光量となる複数の電気光学素子と、
駆動信号を出力する複数の単位回路と、
補正データに応じた制御信号を各々が生成する複数の信号生成回路とを具備し、
前記複数の単位回路は、
前記複数の信号生成回路の何れかが生成した制御信号と前記電気光学素子に指定された階調とに応じた駆動信号を生成する複数の独立型単位回路と、
前記複数の独立型単位回路のうち第１の独立型単位回路に供給される制御信号と第２の独立型単位回路に供給される制御信号と前記電気光学素子に指定された階調とに応じた駆動信号を生成する従属型単位回路とを含む
電気光学装置。
【請求項２】
前記複数の電気光学素子は所定の方向に配列し、
前記第１の独立型単位回路が駆動する電気光学素子と、前記第２の独立型単位回路が駆動する電気光学素子とは、前記従属型単位回路が駆動する電気光学素子を前記所定の方向に挟む各位置に配置される
請求項１に記載の電気光学装置。
【請求項３】
前記複数の電気光学素子は、第１列と第２列とを含む複数列に配列し、
前記第１列の電気光学素子を駆動する従属型単位回路は、前記第１列の電気光学素子を駆動する第１および第２の独立型単位回路に供給される各制御信号に応じた駆動信号を生成し、
前記第２列の電気光学素子を駆動する従属型単位回路は、前記第２列の電気光学素子を駆動する第１および第２の独立型単位回路に供給される各制御信号に応じた駆動信号を生成する
請求項１または請求項２に記載の電気光学装置。
【請求項４】
前記複数の単位回路は、
前記第１の独立型単位回路に供給される制御信号と前記第２の独立型単位回路に供給される制御信号と前記電気光学素子に指定された階調とに応じた駆動信号を各々が生成する複数の従属型単位回路を含む
請求項１から請求項３の何れかに記載の電気光学装置。
【請求項５】
前記複数の従属型単位回路の各々は、当該従属型単位回路が駆動する電気光学素子に位置が近い電気光学素子に対応した独立型単位回路に供給される制御信号ほど加重値が大とされた各制御信号の加重平均に応じた駆動信号を生成する
請求項４に記載の電気光学装置。
【請求項６】
前記信号生成回路は、補正データに応じた電流値の制御電流を制御信号として生成し、
前記独立型単位回路は、前記制御電流が流れる第１トランジスタと、前記第１トランジスタとカレントミラー回路を構成する第２トランジスタとを含み、
前記従属型単位回路は、前記第１の独立型単位回路の前記第１トランジスタとカレントミラー回路を構成する第３トランジスタと、前記第２の独立型単位回路の前記第１トランジスタとカレントミラー回路を構成する第４トランジスタとを含み、前記第３トランジスタおよび前記第４トランジスタに流れる電流の加算に応じて駆動信号を生成する
請求項１から請求項５の何れかに記載の電気光学装置。
【請求項７】
前記複数の単位回路は、前記第１の独立型単位回路に供給される制御信号と前記第２の独立型単位回路に供給される制御信号と前記電気光学素子に指定された階調とに応じた駆動信号を各々が生成する複数の従属型単位回路を含み、
前記複数の従属型単位回路のうち前記第１の独立型単位回路が駆動する電気光学素子に位置が近い電気光学素子に対応した従属型単位回路ほど前記第３トランジスタの利得係数が大きく、前記第２の独立型単位回路の駆動する電気光学素子に位置が近い電気光学素子に対応した従属型単位回路ほど前記第４トランジスタの利得係数が大きい。
請求項６に記載の電気光学装置。
【請求項８】
前記独立型単位回路は、前記第２トランジスタに流れる電流の経路上に配置されて前記電気光学素子の階調に応じた時間長にわたってオン状態となる駆動制御トランジスタを含み、
前記従属型単位回路は、前記第３トランジスタに流れる電流と前記第４トランジスタに流れる電流とを加算した電流の経路上に配置されて前記電気光学素子の階調に応じた時間長にわたってオン状態となる駆動制御トランジスタを含む
請求項６または請求項７に記載の電気光学装置。
【請求項９】
駆動信号に応じた光量となる電気光学素子と、
補正データに応じた制御信号を生成する信号生成回路と、
前記信号生成回路が生成した制御信号と前記電気光学素子に指定された階調とに応じた駆動信号を各々が生成する複数の単位回路と
を具備する電気光学装置。
【請求項１０】
請求項１から請求項９の何れかに記載の電気光学装置を具備する電子機器。
【請求項１１】
複数の電気光学素子の各々を駆動信号の供給によって駆動する駆動回路であって、
駆動信号を出力する複数の単位回路と、
補正データに応じた制御信号を各々が生成する複数の信号生成回路とを具備し、
前記複数の単位回路は、
前記複数の信号生成回路の何れかが生成した制御信号と前記電気光学素子に指定された階調とに応じた駆動信号を生成する複数の独立型単位回路と、
前記複数の独立型単位回路のうち第１の独立型単位回路に供給される制御信号と第２の独立型単位回路に供給される制御信号と前記電気光学素子に指定された階調とに応じた駆動信号を生成する従属型単位回路とを含む
電気光学装置の駆動回路。
【発明の詳細な説明】
【技術分野】
【０００１】
本発明は、発光素子などの電気光学素子の光量（階調）を制御する技術に関する。
【背景技術】
【０００２】
複数の電気光学素子を配列した電気光学装置においては、各電気光学素子の特性やこれを制御する能動素子の特性のバラツキ（設計値からの誤差や各素子間の相違）に起因した光量のムラが問題となる。そこで、電気光学素子に供給される駆動信号を各電気光学素子の特性に応じて補正する各種の技術が従来から提案されている。例えば特許文献１には、発光素子の特性に応じた補正データを記憶するレジスタと、補正データに応じて駆動信号の電流値を設定するＤ／Ａ変換器とを、発光素子ごとに配置した構成が開示されている。
【特許文献１】特開平８−３９８６２号公報（特に図６）
【発明の開示】
【発明が解決しようとする課題】
【０００３】
しかし、特許文献１の構成においては、レジスタとＤ／Ａ変換器とが総ての発光素子の各々について個別に設置されるから、駆動回路の規模が肥大化して製造コストが増大するという問題がある。特に、補正データの数値の範囲の拡大や補正の分解能の向上によって補正を高精度化しようとした場合には、レジスタやＤ／Ａ変換器の規模を拡大せざるを得ないから、以上の問題はいっそう深刻となる。このような事情に鑑みて、本発明は、各電気光学素子の光量のムラを小規模な駆動回路によって低減するという課題の解決を目的としている。
【課題を解決するための手段】
【０００４】
以上の課題を解決するために、本発明に係る電気光学装置は、駆動信号に応じた光量となる複数の電気光学素子と、駆動信号を出力する複数の単位回路と、補正データに応じた制御信号を各々が生成する複数の信号生成回路（例えば図２の電流生成回路２２）とを具備し、複数の単位回路は、複数の信号生成回路の何れかが生成した制御信号と電気光学素子に指定された階調とに応じた駆動信号を生成する複数の独立型単位回路と、複数の独立型単位回路のうち第１の独立型単位回路に供給される制御信号と第２の独立型単位回路に供給される制御信号と電気光学素子に指定された階調とに応じた駆動信号を生成する従属型単位回路とを含む。なお、制御信号は電流信号（例えば図２の制御電流ＩC）および電圧信号の何れでもよい。同様に、駆動信号は電流信号および電圧信号の何れでもよい。
【０００５】
以上の構成においては、第１の独立型単位回路の制御信号と第２の独立型単位回路の制御信号とに応じて従属型単位回路の駆動信号が生成される（例えば各制御信号に応じて駆動信号の電流値や電圧値が設定される）から、従属型単位回路について信号生成回路は不要である。したがって、総ての単位回路について信号生成回路（例えばＤ／Ａ変換器）が設置された構成と比較して、小規模で構成が簡素な駆動回路を利用しながら各電気光学素子の光量のムラを低減することができる。
【０００６】
本発明の好適な態様において、複数の電気光学素子は所定の方向に配列し、第１の独立型単位回路が駆動する電気光学素子と、第２の独立型単位回路が駆動する電気光学素子とは、従属型単位回路が駆動する電気光学素子を所定の方向に挟む各位置に配置される。以上の態様によれば、従属型回路の駆動する電気光学素子の光量がこれに隣接する電気光学素子（独立型単位回路が駆動する素子）の補正データに応じて補正されるから、相近接する電気光学素子同士の特性は類似するという傾向に合致した高精度な補正が実現される。
【０００７】
一方、複数の電気光学素子が、第１列と第２列とを含む複数列に配列する構成においては、電気光学素子の特性が各列で相違する場合がある。そこで、複数の電気光学素子が複数列に配列された構成においては、第１列の電気光学素子を駆動する従属型単位回路（例えば図６の従属型単位回路Ｕb_G1）が、第１列の電気光学素子を駆動する第１および第２の独立型単位回路（例えば図６の独立型単位回路Ｕa_G1）に供給される各制御信号に応じた駆動信号を生成し、第２列の電気光学素子を駆動する従属型単位回路（例えば図６の従属型単位回路Ｕb_G2）が、第２列の電気光学素子を駆動する第１および第２の独立型単位回路（例えば図６の独立型単位回路Ｕa_G2）に供給される各制御信号に応じた駆動信号を生成する構成も好適である。以上の態様によれば、電気光学素子の光量が列ごとに個別に補正されるから、電気光学素子の光量のムラをいっそう有効に抑制することが可能となる。なお、以上の態様の具体例は第２実施形態として後述される。
【０００８】
本発明の好適な態様において、複数の単位回路は、第１の独立型単位回路に供給される制御信号と第２の独立型単位回路に供給される制御信号と電気光学素子に指定された階調とに応じた駆動信号を各々が生成する複数の従属型単位回路を含む。以上の形態においては、第１の独立型単位回路の制御信号と第２の独立型単位回路の制御信号とに応じて複数の従属型単位回路の駆動信号が制御されるから、各制御信号に応じてひとつの従属型単位回路の駆動信号が制御される構成と比較して、信号生成回路の個数がさらに削減される。したがって、駆動回路の規模が縮小されるという効果はいっそう顕著となる。なお、以上の態様の具体例は第３実施形態として後述される。
【０００９】
さらに具体的な態様において、複数の従属型単位回路の各々は、当該従属型単位回路が駆動する電気光学素子に位置が近い電気光学素子に対応した独立型単位回路に供給される制御信号ほど加重値（重み値）が大とされた各制御信号の加重平均に応じた駆動信号を生成する。以上の形態によれば、複数の従属型単位回路によって駆動される各電気光学素子の光量が、当該電気光学素子に位置が近い電気光学素子について独立型単位回路が実行する補正の影響を大きく受けるように補正される。したがって、信号生成回路の個数を削減しながらも各電気光学素子の光量を高精度に補正することが可能となる。なお、以上の態様の具体例は第４実施形態として後述される。
【００１０】
本発明の具体的な態様において、信号生成回路は、補正データに応じた電流値の制御電流を制御信号として生成し、独立型単位回路は、制御電流が流れる第１トランジスタ（例えばトランジスタＱ1）と、第１トランジスタとカレントミラー回路を構成する第２トランジスタ（例えばトランジスタＱ2）とを含み、従属型単位回路は、第１の独立型単位回路の第１トランジスタとカレントミラー回路を構成する第３トランジスタ（例えばトランジスタＲ1）と、第２の独立型単位回路の第１トランジスタとカレントミラー回路を構成する第４トランジスタ（例えばトランジスタＲ2）とを含み、第３トランジスタおよび第４トランジスタに流れる電流の加算に応じて駆動信号を生成する。以上の態様によれば、第１の独立型単位回路の制御信号と第２の独立型単位回路の制御信号との平均に応じて従属型単位回路の駆動信号を簡便な構成で生成することが可能となる。
【００１１】
複数の単位回路は、第１の独立型単位回路に供給される制御信号と第２の独立型単位回路に供給される制御信号と電気光学素子に指定された階調とに応じた駆動信号を各々が生成する複数の従属型単位回路を含み、複数の従属型単位回路のうち第１の独立型単位回路が駆動する電気光学素子に位置が近い電気光学素子に対応した従属型単位回路ほど第３トランジスタの利得係数が大きく、第２の独立型単位回路の駆動する電気光学素子に位置が近い電気光学素子に対応した従属型単位回路ほど第４トランジスタの利得係数が大きい。以上の態様によれば、従属型単位回路が駆動する電気光学素子に位置が近い電気光学素子に対応した独立型単位回路に供給される制御信号ほど加重値が大とされた各制御信号の加重平均に応じた駆動信号が当該従属型単位回路にて生成される。したがって、信号生成回路の個数を削減しながらも各電気光学素子の光量は高精度に補正される。さらに、各制御信号の加重値が各トランジスタの利得係数に応じて設定されるから、各制御信号を重み付けするための特別な要素が不要であるという利点もある。
【００１２】
本発明の具体的な態様において、独立型単位回路は、第２トランジスタに流れる電流の経路上に配置されて電気光学素子の階調に応じた時間長にわたってオン状態となる駆動制御トランジスタ（例えば駆動制御トランジスタＱEL）を含み、従属型単位回路は、第３トランジスタに流れる電流と第４トランジスタに流れる電流とを加算した電流の経路上に配置されて電気光学素子の階調に応じた時間長にわたってオン状態となる駆動制御トランジスタ（例えば駆動制御トランジスタＲEL）を含む。以上の態様においては、各単位回路の駆動信号の電流値が補正データに応じて制御される一方、電気光学素子に指定された階調に応じて駆動信号のパルス幅が制御される。
【００１３】
本発明の別の態様に係る電気光学装置は、駆動信号に応じた光量となる電気光学素子と、補正データに応じた制御信号を生成する信号生成回路と、信号生成回路が生成した制御信号と電気光学素子に指定された階調とに応じた駆動信号を各々が生成する複数の単位回路とを具備する。この態様によれば、ひとつの信号生成回路が複数の単位回路に共用されるから、総ての単位回路について信号生成回路が設置された構成と比較して駆動回路を小規模で簡素な構成とすることが可能である。
【００１４】
本発明に係る電気光学装置は各種の電子機器に利用される。本発明に係る電子機器の典型例は、以上の各態様に係る電気光学装置を感光体ドラムなどの像担持体の露光に利用した電子写真方式の画像形成装置である。この画像形成装置は、露光によって潜像が形成される像担持体と、像担持体を露光する本発明の電気光学装置と、像担持体の潜像に対する現像剤（例えばトナー）の付加によって顕像を形成する現像器とを含む。もっとも、本発明に係る電気光学装置の用途は像担持体の露光に限定されない。例えば、スキャナなどの画像読取装置においては、本発明に係る電気光学装置を原稿の照明に利用することが可能である。この画像読取装置は、以上の各態様に係る電気光学装置と、電気光学装置から出射して読取対象（原稿）で反射した光を電気信号に変換する受光装置（例えばＣＣＤ（Charge Coupled Device）素子などの受光素子）とを具備する。さらに、電気光学素子がマトリクス状に配列された電気光学装置は、パーソナルコンピュータや携帯電話機など各種の電子機器の表示装置としても利用される。
【００１５】
また、以上の各態様に係る電気光学装置を駆動する回路としても本発明は特定される。本発明のひとつの態様に係る駆動回路は、複数の電気光学素子の各々を駆動信号の供給によって駆動する回路であって、駆動信号を出力する複数の単位回路と、補正データに応じた制御信号を各々が生成する複数の信号生成回路とを具備し、複数の単位回路は、複数の信号生成回路の何れかが生成した制御信号と電気光学素子に指定された階調とに応じた駆動信号を生成する複数の独立型単位回路と、複数の独立型単位回路のうち第１の独立型単位回路に供給される制御信号と第２の独立型単位回路に供給される制御信号と電気光学素子に指定された階調とに応じた駆動信号を生成する従属型単位回路とを含む。以上の駆動回路によっても、本発明に係る電気光学装置と同様の作用および効果が奏される。
【発明を実施するための最良の形態】
【００１６】
＜Ａ：第１実施形態＞
図１は、本発明の第１実施形態に係る電気光学装置の構成を示すブロック図である。電気光学装置Ｈは、感光体ドラムを露光するラインヘッド（露光装置）として電子写真方式の画像形成装置に利用される機器であり、図１に示すように素子部１０と駆動回路２０とを具備する。
【００１７】
素子部１０は、Ｘ方向（主走査方向）に沿って１列に配列するｎ個（ｎは自然数）の電気光学素子Ｅを含む。各電気光学素子Ｅは、相互に対向する陽極と陰極との間に有機ＥＬ（Electroluminescence）材料の発光層が介在する有機発光ダイオード素子である。感光体ドラムの表面は、各電気光学素子Ｅからの出射光によって露光される。なお、以下では、性質や構成が共通する複数の要素のうち特定のひとつに個別に着目する場合には、当該要素の符号に添字[i]（ｉは１≦ｉ≦ｎを満たす整数）を併記することがある。一方、特定のひとつに個別に注目する必要がない場合には各符号の添字[i]を適宜に省略する。
【００１８】
駆動回路２０は、外部からの指示に応じた駆動信号Ｘ[1]〜Ｘ[n]の出力によって各電気光学素子Ｅを駆動する回路である。駆動回路２０は、ひとつまたは複数のＩＣチップで構成されてもよいし、各電気光学素子Ｅとともに基板の表面に形成された多数の能動素子（例えば半導体層が低温ポリシリコンで形成された薄膜トランジスタ）で構成されてもよい。
【００１９】
図２は、素子部１０および駆動回路２０の具体的な構成を示すブロック図である。図１および図２に示すように、駆動回路２０は、各々が別個の電気光学素子Ｅに対応するｎ個の単位回路Ｕ（Ｕa，Ｕb）と、ｎ／２個の電流生成回路２２とを含む。なお、図１においては電流生成回路２２の図示が省略されている。第ｉ段目の単位回路Ｕは、駆動信号Ｘ[i]の生成および出力によって第ｉ段目の電気光学素子Ｅの光量（階調）を制御する。
【００２０】
図３は、駆動信号Ｘ[i]（Ｘ[1]〜Ｘ[n]）の波形を示すタイミングチャートである。図３に示すように、駆動信号Ｘ[i]は、所定の単位期間（例えば水平走査期間）Ｔのうち第ｉ段目の電気光学素子Ｅに指定された階調に応じた時間長にわたって駆動電流ＩDR[i]となり、当該単位期間Ｔの残余の期間にて電流値がゼロとなる電流信号である。各電気光学素子Ｅの光量が駆動信号Ｘ[1]〜Ｘ[n]の各々に応じて個別に制御されることで、所望の画像に応じた潜像が感光体ドラムの表面に形成される。
【００２１】
図２に示すように、駆動回路２０を構成するｎ個の単位回路Ｕは、独立型単位回路Ｕaと従属型単位回路Ｕbとに区別される。本実施形態においては、奇数段目の単位回路Ｕが独立型単位回路Ｕaとされて偶数段目の単位回路Ｕが従属型単位回路Ｕbとされた場合を例示する。ｎ／２個の電流生成回路２２の各々は、ひとつの独立型単位回路Ｕaに対応するように配置されて当該独立型単位回路Ｕaに電気的に接続される。一方、従属型単位回路Ｕbに電流生成回路２２は接続されない。以上のように、本実施形態においては、総ての単位回路Ｕについて電流生成回路２２が設置されるわけではなく、独立型単位回路Ｕaについてのみ電流生成回路２２が設置される。なお、以下では、独立型単位回路Ｕaが駆動する電気光学素子Ｅ（すなわち奇数段目の電気光学素子Ｅ）を「電気光学素子Ｅa」と表記し、従属型単位回路Ｕbが駆動する電気光学素子Ｅ（すなわち偶数段目の電気光学素子Ｅ）を「電気光学素子Ｅb」と表記して両者を形式的に区別する場合がある。図２から理解されるように、各電気光学素子Ｅaは、電気光学素子ＥbをＸ方向に挟む各位置に配置される。
【００２２】
図２の電流生成回路２２は、独立型単位回路Ｕaにて駆動信号Ｘ[i]の駆動電流ＩDR[i]として使用される制御電流ＩC[i]を生成する。図４は、電流生成回路２２の具体的な構成を示す回路図である。同図においては第ｉ段目の独立型単位回路Ｕaに対応したひとつの電流生成回路２２のみが図示されているが、総ての電流生成回路２２は同様の構成である。電流生成回路２２は、基準電流源２２１と記憶部２２３とＤ／Ａ変換器２２５とを含む。基準電流源２２１は、ゲートに印加される基準電圧ＶREF1に応じた基準電流ＩREFを生成するｎチャネル型のトランジスタである。
【００２３】
記憶部２２３は、補正データＤ[i]を記憶する手段である。補正データＤ[i]は、独立型単位回路Ｕaが生成する駆動信号Ｘ[i]の駆動電流ＩDR[i]について補正量を指定する４ビット（ビットｄ1〜ｄ4）のデジタルデータである。記憶部２２３は、電気光学装置Ｈの製造時に格納された補正データＤ[i]を不揮発的に記憶するメモリであってもよいし、外部から供給される補正データＤ[i]を電気光学装置Ｈの電源の投入のたびに揮発的に記憶するメモリであってもよい。
【００２４】
Ｄ／Ａ変換器２２５は、記憶部２２３に記憶された補正データＤ[i]に応じた補正電流Ｉxを生成する手段であり、補正データＤ[i]のビット数に相当する４個のｎチャネル型のトランジスタＴa（Ｔa1〜Ｔa4）と、各々のソースがトランジスタＴaのドレインに接続された４個のｎチャネル型のトランジスタＴb（Ｔb1〜Ｔb4）とを含む。各トランジスタＴaのソースは基準電流源２２１のソースとともにノードＮに接続され、各トランジスタＴbのドレインは基準電流源２２１のドレインとともに接地される。
【００２５】
トランジスタＴb1〜Ｔb4の各々は、ゲートに印加される基準電圧ＶREF2に応じた電流を生成する電流源として移納する。トランジスタＴb1〜Ｔb4の特性（例えば利得係数）は、ゲートに対する基準電圧ＶREF2の印加によって各々に流れる電流ｃ1〜ｃ4の電流値の相対比が２のべき乗（ｃ1：ｃ2：ｃ3：ｃ4＝１：２：４：８）となるように選定されている。一方、トランジスタＴa1〜Ｔa4の各々は、記憶部２２３に記憶された補正データＤ[i]の各ビット（ｄ1〜ｄ4）に応じて選択的にオン状態となる。したがって、ノードＮからＤ／Ａ変換器２２５に至る経路には、補正データＤ[i]に応じた電流値の補正電流Ｉxが流れる。以上の構成により、基準電流ＩREFと補正電流Ｉxとを加算した制御電流ＩC[i]がノードＮに流れる。
【００２６】
次に、図２を参照して、各単位回路Ｕの具体的な構成を説明する。図２に示すように、各独立型単位回路Ｕaは、トランジスタＱ1およびＱ2と駆動制御トランジスタＱELとを含む。トランジスタＱ1およびＱ2の各々のソースは高位側の電源に接続される。トランジスタＱ1のドレインは、電流生成回路２２のノードＮと自身のゲートとに接続される。トランジスタＱ1およびＱ2は、各々のゲートが相互に接続されることでカレントミラー回路を構成する。
【００２７】
以上の構成において、電流生成回路２２の生成した制御電流ＩC[i]がトランジスタＱ1のソース−ドレイン間に流れると、第ｉ段目の独立型単位回路ＵaにおけるトランジスタＱ2のソース−ドレイン間には、制御電流ＩC[i]に対応した駆動電流ＩDR[i]が発生する。本実施形態のトランジスタＱ2は、利得係数βがトランジスタＱ1と等しく（β＝１）なるようにサイズ（チャネル幅やチャネル長）が選定される。したがって、独立型単位回路Ｕaにおける駆動電流ＩDR[i]の電流値は制御電流ＩC[i]と等しい。すなわち、独立型単位回路Ｕaの駆動電流ＩDR[i]は補正データＤ[i]に応じて補正された電流値となる。補正データＤ[i]は、電気光学素子Ｅaに駆動電流ＩDR[i]を供給したときの光量が所期値に調整されるように（すなわち各電気光学素子Ｅaから出射する光量が均一化されるように）、各電気光学素子Ｅaの特性に応じて予め設定される。
【００２８】
駆動制御トランジスタＱELは、トランジスタＱ2が生成する駆動電流ＩDR[i]の経路上に配置されたｐチャネル型のトランジスタであり、電気光学素子Ｅに指定された階調に応じた時間長にわたって（階調に応じた時間密度で）選択的にオン状態とされる。駆動トランジスタＱELがオン状態になると、トランジスタＱ2の生成した駆動電流ＩDR[i]が電気光学素子Ｅaに供給され、駆動制御トランジスタＱELがオフ状態になると、電気光学素子Ｅaに対する駆動電流ＩDR[i]の供給が停止する。したがって、独立型単位回路Ｕaが生成する駆動信号Ｘ[i]は、電気光学素子Ｅaの階調に応じたパルス幅にわたって補正データＤ[i]に対応した駆動電流ＩDR[i]となる。
【００２９】
一方、従属型単位回路Ｕbは、図２に示すようにトランジスタＲ1およびＲ2と駆動制御トランジスタＲELとを含む。トランジスタＲ1およびＲ2の各々のソースは高位側の電源に接続され、各々のドレインは駆動制御トランジスタＲELのソースに接続される。図２に示すように、第ｉ段目の従属型単位回路ＵbにおけるトランジスタＲ1のゲートは、Ｘ方向の負側に隣接する第(i-1)段目の独立型単位回路Ｕa（換言すると、当該従属型単位回路Ｕbが駆動する電気光学素子Ｅbに対してＸ方向の負側に隣接する電気光学素子Ｅaを駆動する独立型単位回路Ｕa）におけるトランジスタＱ1およびＱ2のゲートに接続される。また、第ｉ段目の従属型単位回路ＵbにおけるトランジスタＲ2のゲートは、Ｘ方向の正側に隣接する第(i+1)段目の独立型単位回路Ｕa（換言すると、当該従属型単位回路Ｕbが駆動する電気光学素子Ｅbに対してＸ方向の正側に隣接する電気光学素子Ｅaを駆動する独立型単位回路Ｕa）におけるトランジスタＱ1およびＱ2のゲートに接続される。以上のように、第ｉ段目の従属型単位回路ＵbのトランジスタＲ1は、第(i-1)段目の独立型単位回路Ｕa（本発明における「第１の独立型単位回路」に相当する）のトランジスタＱ1およびＱ2とカレントミラー回路を構成し、当該従属型単位回路ＵbのトランジスタＲ2は、第(i+1)段目の独立型単位回路Ｕa（本発明における「第２の独立型単位回路」に相当する）のトランジスタＱ1およびＱ2とカレントミラー回路を構成する。
【００３０】
図２に示すように、各従属型単位回路ＵbのトランジスタＲ1は、利得係数βが独立型単位回路ＵaのトランジスタＱ1の半分（β＝0.5）となるようにサイズ（チャネル幅やチャネル長）が選定される。したがって、第ｉ段目の従属型単位回路ＵbのトランジスタＲ1には、第(i-1)段目の独立型単位回路Ｕaで使用される制御電流ＩC[i-1]の半分の電流（ＩC[i-1]／２）が流れる。同様に、トランジスタＲ2の利得係数はトランジスタＱ2の半分（β＝0.5）とされるから、第ｉ段目の従属型単位回路ＵbにおけるトランジスタＲ2には、第(i+1)段目の独立型単位回路Ｕaにて使用される制御電流ＩC[i+1]の半分の電流（ＩC[i+1]／２）が流れる。第ｉ段目の従属型単位回路Ｕbにおいては、トランジスタＲ1に流れる電流とトランジスタＲ2に流れる電流とを加算した電流が駆動電流ＩDR[i]として使用される。したがって、第ｉ段目の従属型単位回路Ｕbにおける駆動電流ＩDR[i]は、第(i-1)段目の独立型単位回路Ｕaに供給される制御電流ＩC[i-1]と第（i+1）段目の独立型単位回路Ｕaに供給される制御電流ＩC[i+1]との相加平均（あるいは駆動電流ＩDR[i-1]およびＩDR[i+1]の相加平均）に相当する電流値となる。例えば、図２の左方から第２段目の従属型単位回路Ｕbにて利用される駆動電流ＩDR[2]は、制御電流ＩC[1]とＩC[3]との相加平均である。
【００３１】
駆動制御トランジスタＲELは、駆動電流ＩDR[i]の経路上に配置されたｐチャネル型のトランジスタである。駆動制御トランジスタＲELがオン状態になると駆動電流ＩDR[i]が電気光学素子Ｅbに供給され、駆動制御トランジスタＲELがオフ状態になると、電気光学素子Ｅbに対する駆動電流ＩDR[i]の供給が停止する。すなわち、第ｉ段目の従属型単位回路Ｕbが生成する駆動信号Ｘ[i]は、第ｉ段目の電気光学素子Ｅbの階調に応じたパルス幅にわたって、第(i-1)段目の独立型単位回路Ｕaに供給される制御電流ＩC[i-1]と第(i+1)段目の独立型単位回路Ｕaに供給される制御電流ＩC[i+1]とに応じた（すなわち補正データＤ[i-1]と補正データＤ[i+1]とに応じた）駆動電流ＩDR[i]となる。
【００３２】
以上に説明したように、本実施形態においては、従属型単位回路Ｕbについて電流生成回路２２が設置されないから、総ての単位回路Ｕについて電流生成回路２２が設置された特許文献１の構成と比較して、駆動回路２０に搭載される電流生成回路２２の個数が削減される。したがって、駆動回路２０の規模を縮小するともに製造コストを低減することが可能である。換言すると、例えば総ての単位回路Ｕに電流生成回路２２が設置された特許文献１の構成と同等の規模が駆動回路２０に許容されるのであれば、特許文献１の構成と比較して駆動電流ＩDRの補正の分解能を上昇させる（補正データＤのビット数を増加させる）ことが可能となる。
【００３３】
なお、以上に説明したように、従属型単位回路Ｕbにおける駆動電流ＩDR[i]は、補正データＤ[i-1]に対応する制御電流ＩC[i-1]と補正データＤ[i+1]に対応する制御電流ＩC[i+1]とに応じて従属的に設定される。しかし、素子部１０の各電気光学素子Ｅや駆動回路２０を構成する各能動素子には、相近接する素子同士で特性が近似するという傾向がある。したがって、Ｘ方向に隣接する２個の独立型単位回路Ｕaの各制御電流ＩCの相加平均が従属型単位回路Ｕbの駆動電流ＩDRとされる本実施形態によれば、従属型単位回路Ｕbの駆動電流ＩDRが他の単位回路Ｕの駆動電流ＩDRから独立して補正されないとは言っても、各電気光学素子Ｅの光量のムラを有効に均一化することが可能である。
【００３４】
＜Ｂ：第２実施形態＞
次に、本発明の第２実施形態について説明する。なお、以下に例示する各形態において第１実施形態と共通する要素については以上と同じ符号を付し、各々の詳細な説明を適宜に省略する。
【００３５】
図５は、電気光学装置Ｈの構成を示すブロック図であり、図６は、素子部１０および駆動回路２０の具体的な構成を示すブロック図である。図５に示すように、本実施形態の素子部１０を構成するｎ個の電気光学素子Ｅは、Ｘ方向に沿って２列（素子列Ｇ1，Ｇ2）に配列される。素子列Ｇ1に属する各電気光学素子Ｅと素子列Ｇ2に属する各電気光学素子ＥとはＸ方向の位置が相違する。すなわち、ｎ個の電気光学素子Ｅは千鳥状に配列する。以上の配列によれば、複数の電気光学素子Ｅが１列に配列された構成と比較して各電気光学素子ＥのＸ方向のピッチが狭小化されるから、感光体ドラムの表面に高精細な潜像を形成することが可能となる。
【００３６】
図５の構成においては、素子列Ｇ1の各電気光学素子Ｅと素子列Ｇ2の各電気光学素子Ｅとでレイアウト（特に各電気光学素子Ｅと他の要素との関係）が相違する。例えば、素子列Ｇ1に属する各電気光学素子Ｅの間隙には素子列Ｇ2の各電気光学素子Ｅと駆動回路２０とを結ぶ配線が存在するのに対し、素子列Ｇ2に属する各電気光学素子Ｅの間隙に配線は存在しない。このような相違に起因して、素子列Ｇ1の各電気光学素子Ｅと素子列Ｇ2の各電気光学素子Ｅとは特性が相違するという傾向がある。一方、素子列Ｇ1内で相隣接する電気光学素子Ｅ同士および素子列Ｇ2内で相隣接する電気光学素子Ｅ同士は、第１実施形態と同様に特性が類似する。そこで、本実施形態においては、素子列Ｇ1とＧ2とで個別に駆動電流ＩDRが補正されるようになっている。
【００３７】
図６に示すように、駆動回路２０を構成するｎ個の単位回路Ｕは、素子列Ｇ1の各電気光学素子Ｅを駆動する独立型単位回路Ｕa_G1および従属型単位回路Ｕb_G1と、素子列Ｇ2の各電気光学素子Ｅを駆動する独立型単位回路Ｕa_G2および従属型単位回路Ｕb_G2とに区分される。各独立型単位回路Ｕa_G1および各独立型単位回路Ｕa_G2には別個の電流生成回路２２から制御電流ＩCが供給される。
【００３８】
各従属型単位回路Ｕb_G1（例えば図６の左方から第３段目の単位回路Ｕ）のトランジスタＲ1のゲートは、Ｘ方向の負側にあって当該従属型単位回路Ｕb_G1に最寄の独立型単位回路Ｕa_G1（例えば図６の左方から第１段目の単位回路Ｕ）のトランジスタＱ1およびＱ2のゲートに接続される。また、各従属型単位回路Ｕb_G1のトランジスタＲ2は、Ｘ方向の正側にあって当該従属型単位回路Ｕb_G1に最寄の独立型単位回路Ｕa_G1（例えば図６の左方から第５段目の単位回路Ｕ）のトランジスタＱ1およびＱ2のゲートに接続される。したがって、第ｉ段目の従属型単位回路Ｕb_G1の駆動電流ＩDR[i]は、第(i-2)段目の独立型単位回路Ｕa_G1に供給される制御電流ＩC[i-2]と第(i+2)段目の独立型単位回路Ｕa_G1に供給される制御電流ＩC[i+2]とに応じた電流値となる。例えば、図６における駆動電流ＩDR[3]は、制御電流ＩC[1]と制御電流ＩC[5]との相加平均（すなわち補正データＤ[1]とＤ[5]とに応じた電流値）となる。
【００３９】
素子列Ｇ2の各電気光学素子Ｅを駆動する単位回路Ｕ（Ｕa_G2，Ｕb_G2）についても同様である。すなわち、第ｉ段目の従属型単位回路Ｕb_G2の駆動電流ＩDR[i]は、第(i-2)段目の独立型単位回路Ｕa_G2の制御電流ＩC[i-2]と第(i+2)段目の独立型単位回路Ｕa_G2の制御電流ＩC[i+2]とに応じた電流値となる。例えば、図６における左方から第４段目の従属型単位回路Ｕb_G2の駆動電流ＩDR[4]は、制御電流ＩC[2]とＩC[6]とに応じた電流値となる。
【００４０】
以上に説明したように、本実施形態においても従属型単位回路Ｕb（Ｕb_G1，Ｕb_G2）については電流生成回路２２が省略されるから、第１実施形態と同様の作用および効果が奏される。さらに、本実施形態によれば、駆動電流ＩDRの電流値が素子列Ｇ1とＧ2とで個別に設定されるから、電気光学素子Ｅの特性が素子列ごとに相違する場合であっても、各電気光学素子Ｅの光量を有効に均一化することが可能である。なお、複数の電気光学素子を配列する列数は以上の例示に限定されない。例えば、複数の電気光学素子が３列以上にわたって配列された構成も採用される。
【００４１】
＜Ｃ：第３実施形態＞
以上の各形態においては、ｎ個の単位回路Ｕのうちｎ／２個の独立型単位回路Ｕaについて電流生成回路２２が設置される構成を例示したが、電流生成回路２２の個数（独立型単位回路Ｕaと従属型単位回路Ｕbとの比率）は任意に変更される。以下では、ｎ個の単位回路Ｕのうちのｎ／３個を独立型単位回路Ｕaとした形態を例示する。なお、以下では、第１実施形態のようにｎ個の電気光学素子Ｅが１列に配列された場合を想定するが、電気光学素子Ｅが複数列に配列された第２実施形態の構成にも本実施形態と同様の構成を適用することが可能である。
【００４２】
図７は、本実施形態における素子部１０および駆動回路２０の具体的な構成を示すブロック図である。図７に示すように、駆動回路２０を構成するｎ個の単位回路ＵのうちＸ方向に沿って２個おきに選択されたｎ／３個の単位回路Ｕが独立型単位回路Ｕaとされる。すなわち、Ｘ方向に相隣接する各独立型単位回路Ｕaの間には２個の従属型単位回路Ｕbが介在する。
【００４３】
図７に示すように、第ｉ段目（例えば図７の左方から第２段目）および第(i+1)段目の各従属型単位回路Ｕbにおいては、トランジスタＲ1のゲートが、Ｘ方向の負側にて最寄にある第(i-1)段目の独立型単位回路ＵaのトランジスタＱ1およびＱ2に対して共通に接続され、トランジスタＲ2のゲートが、Ｘ方向の正側にて最寄にある第(i+2)段目の独立型単位回路ＵaのトランジスタＱ1およびＱ2に対して共通に接続される。したがって、各従属型単位回路Ｕbにおける駆動電流ＩDR[i]およびＩDR[i+1]は、制御電流ＩC[i-1]とＩC[i+2]との相加平均となる。
【００４４】
以上に説明したように、本実施形態によれば、総ての単位回路Ｕについて電流生成回路２２が設置された構成と比較して、駆動回路２０に搭載される電流生成回路２２の個数が１／３に削減される。したがって、駆動回路２０の規模が縮小されるという効果、または駆動回路２０の規模を維持しながら補正の分解能を上昇させる（補正データＤのビット数を増加させる）という効果は、第１実施形態や第２実施形態と比較していっそう顕著となる。
【００４５】
＜Ｄ：第４実施形態＞
図７の構成においては、相隣接する従属型単位回路Ｕbにおける駆動電流ＩDRの電流値が等しくなる。したがって、相隣接する従属型単位回路Ｕbによって駆動される各電気光学素子Ｅbの光量の補正量は同等である。しかし、相隣接する電気光学素子Ｅbについても各々の特性は相違し得るから、各電気光学素子Ｅbの光量を同量だけ補正しても、素子部１０における光量のムラを充分に抑制できない場合がある。そこで、本実施形態においては、第３実施形態と同数の電流生成回路２２を利用しながら、相隣接する各従属型単位回路Ｕbの駆動電流ＩDRを個別に設定し得る構成となっている。
【００４６】
図８は、素子部１０および駆動回路２０の構成を示すブロック図である。同図に示すように、本実施形態における駆動回路２０の構成（特に各要素の電気的な連関）は第３実施形態と同様であるが、トランジスタＲ1およびＲ2の利得係数βが、相隣接する従属型単位回路Ｕbで異なっている。
【００４７】
電気光学素子Ｅや能動素子の特性には各々の配列に沿って段階的に変化するという傾向がある。したがって、ひとつの電気光学素子Ｅaに近接する電気光学素子Ｅbの特性ほど当該電気光学素子Ｅaに近い。このような傾向を考慮して、本実施形態においては、相隣接する従属型単位回路Ｕbが駆動する複数の電気光学素子Ｅbのうちひとつの電気光学素子Ｅaに近い電気光学素子Ｅbの駆動電流ＩDRほど、当該電気光学素子Ｅaに対する光量の補正の影響を大きく受けるように、トランジスタＲ1およびＲ2の特性が従属型単位回路Ｕbごとに個別に選定される。
【００４８】
さらに詳述すると、図８に示すように、各従属型単位回路Ｕbのうちひとつの独立型単位回路Ｕaに接続されるトランジスタ（Ｒ1，Ｒ2）は、当該独立型単位回路Ｕaに近い従属型単位回路Ｕb（当該独立型単位回路Ｕaに対応した電気光学素子Ｅaに近い電気光学素子Ｅbを駆動する従属型単位回路Ｕb）に含まれるものほど利得係数βが大きい。例えば、図８の左方から第２段目の従属型単位回路Ｕbは、第３段目の従属型単位回路Ｕbと比較して第１段目の独立型単位回路Ｕaに近いから、第２段目の従属型単位回路ＵbにおけるトランジスタＲ1の利得係数βは、第３段目の従属型単位回路ＵbにおけるトランジスタＲ1の利得係数β（＝0.33）よりも大きい「0.67」に設定される。同様に、図８における第３段目の従属型単位回路Ｕbは、第２段目の従属型単位回路Ｕbと比較して第４段目の独立型単位回路Ｕaに近いから、第３段目の従属型単位回路ＵbにおけるトランジスタＲ2の利得係数βは、第２段目の従属型単位回路ＵbにおけるトランジスタＲ2の利得係数β（＝0.33）よりも大きい「0.67」に設定される。
【００４９】
図８から理解されるとおり、以上のように各トランジスタの特性（例えばチャネル幅やチャネル長）を選定することで、駆動電流ＩDR[2]およびＩDR[3]は以下の電流値となる。
ＩDR[2]＝(2/3)×ＩDR[1]＋(1/3)×ＩDR[4]
＝(2/3)×ＩC[1]＋(1/3)×ＩC[4]
ＩDR[3]＝(1/3)×ＩDR[1]＋(2/3)×ＩDR[4]
＝(1/3)×ＩC[1]＋(2/3)×ＩC[4]
すなわち、ひとつの従属型単位回路Ｕbで生成される駆動電流ＩDRは、当該従属型単位回路Ｕbに近い独立型単位回路Ｕaに供給される制御電流ＩCほど加重値が大とされた各制御電流ＩCの加重平均となる。
【００５０】
以上に説明したように、本実施形態においては、複数の電気光学素子Ｅbのうちひとつの電気光学素子Ｅaに近い電気光学素子Ｅbほど、当該電気光学素子Ｅaに対する光量の補正の影響を大きく受ける。したがって、各独立型単位回路Ｕaの間に複数の従属型単位回路Ｕbを介在させることで駆動回路２０の規模を充分に縮小しながら、各従属型単位回路Ｕbが駆動する電気光学素子Ｅb間の光量のムラも有効に補正することが可能である。しかも、本実施形態においては従属型単位回路Ｕbの駆動電流ＩDRの電流値がトランジスタＲ1およびＲ2の利得係数に応じて設定されるから、従属型単位回路Ｕbの駆動電流ＩDRを調整するための特別な要素は不要である。したがって、駆動回路２０を第３実施形態と同等の規模に維持しながら光量のムラを高精度に抑制できるという利点がある。
【００５１】
＜Ｅ：変形例＞
以上の各形態には様々な変形を加えることができる。具体的な変形の態様を例示すれば以下の通りである。なお、以下の各態様を適宜に組み合わせてもよい。
【００５２】
（１）変形例１  
以上の各形態においては、２個の独立型単位回路Ｕaにおける制御信号ＩCに応じてひとつの従属型単位回路Ｕbの駆動電流ＩDRが設定される構成を例示したが、図９に示すように、ひとつの独立型単位回路Ｕaにおける制御信号ＩCに応じて従属型単位回路Ｕbの駆動電流ＩDRが設定される構成も採用される。図９に示すように、第ｉ段目の従属型単位回路Ｕbは、第(i-1)段目の独立型単位回路ＵaのトランジスタＱ1およびＱ2とカレントミラー回路を構成するトランジスタＲ3を含む。トランジスタＲ3の利得係数βはトランジスタＱ1やＱ2と等しい（β＝１）。したがって、第ｉ段目の従属型単位回路Ｕbの駆動電流ＩDR[i]は、第(i-1)段目の独立型単位回路Ｕaの制御電流ＩC[i]と同じ電流値に設定される。
【００５３】
また、３個以上の独立型単位回路Ｕaにおける制御信号ＩCに応じてひとつの従属型単位回路Ｕbの駆動電流ＩDRが設定される構成も採用される。例えば、ひとつの従属型単位回路Ｕbの駆動電流ＩDRが、当該従属型単位回路ＵbをＸ方向に挟む４個の独立型単位回路Ｕaの各々における制御信号ＩCの平均（相加平均または加重平均）に設定される構成としてもよい。以上のように、本発明の好適な態様においては、ひとつの電流生成回路２２が複数の単位回路Ｕによって共用される構成が採用される。
【００５４】
（２）変形例２  
以上の各形態においては補正データＤに応じて駆動電流ＩDRが補正される構成を例示したが、画像データＤに応じた補正の対象は適宜に変更される。例えば、電圧の印加によって階調が変化する電気光学素子（例えば液晶素子）を利用した電気光学装置においては駆動信号Ｘが電圧信号とされるから、駆動信号Ｘの電圧値を補正データＤに応じて補正してもよい。すなわち、補正データＤに応じた制御電圧ＶCを生成する電圧生成回路が図１の電流生成回路２２の代わりに各独立型単位回路Ｕaに設置され、独立型単位回路Ｕaが生成する駆動信号Ｘは制御電圧ＶCに応じた電圧値に設定される。また、従属型単位回路Ｕbが生成する駆動信号Ｘは、当該従属型単位回路Ｕbに近いひとつまたは複数の独立型単位回路Ｕaの制御電圧ＶCに応じた電圧値に設定される。以上の構成によっても各形態と同様の効果が奏される。
【００５５】
（３）変形例３  
有機発光ダイオード素子は電気光学素子の例示に過ぎない。本発明に適用される電気光学素子について、自身が発光する自発光型と外光の透過率を変化させる非発光型（例えば液晶素子）との区別や、電流の供給によって駆動される電流駆動型と電圧の印加によって駆動される電圧駆動型との区別は不問である。例えば、無機ＥＬ素子、フィールド・エミッション（ＦＥ）素子、表面導電型エミッション（ＳＥ：Surface-conduction Electron-emitter）素子、弾道電子放出（ＢＳ：Ballistic electron Surface emitting）素子、ＬＥＤ（Light
Emitting Diode）素子、液晶素子、電気泳動素子、エレクトロクロミック素子など様々な電気光学素子を本発明に利用することができる。
【００５６】
＜Ｆ：応用例＞
本発明に係る電気光学装置を利用した電子機器（画像形成装置）の具体的な形態を説明する。
図１０は、以上の形態に係る電気光学装置Ｈを採用した画像形成装置の構成を示す断面図である。画像形成装置は、タンデム型のフルカラー画像形成装置であり、以上の形態に係る４個の電気光学装置Ｈ（ＨK，ＨC，ＨM，ＨY）と、各電気光学装置Ｈに対応する４個の感光体ドラム７０（７０K，７０C，７０M，７０Y）とを具備する。ひとつの電気光学装置Ｈは、これに対応した感光体ドラム７０の像形成面（外周面）と対向するように配置される。なお、各符号の添字「K」「C」「M」「Y」は、黒（Ｋ）、シアン（Ｃ）、マゼンダ（Ｍ）、イエロー（Ｙ）の各顕像の形成に利用されることを意味している。
【００５７】
図１０に示すように、駆動ローラ７１１と従動ローラ７１２とには無端の中間転写ベルト７２が巻回される。４個の感光体ドラム７０は、相互に所定の間隔をあけて中間転写ベルト７２の周囲に配置される。各感光体ドラム７０は、中間転写ベルト７２の駆動に同期して回転する。
【００５８】
各感光体ドラム７０の周囲には、電気光学装置Ｈのほかにコロナ帯電器７３１（７３１K，７３１C，７３１M，７３１Y）と現像器７３２（７３２K，７３２C，７３２M，７３２Y）とが配置される。コロナ帯電器７３１は、これに対応する感光体ドラム７０の像形成面を一様に帯電させる。この帯電した像形成面を各電気光学装置Ｈが露光することで静電潜像が形成される。各現像器７３２は、静電潜像に現像剤（トナー）を付着させることで感光体ドラム７０に顕像（可視像）を形成する。
【００５９】
以上のように感光体ドラム７０に形成された各色（黒・シアン・マゼンタ・イエロー）の顕像が中間転写ベルト７２の表面に順次に転写（一次転写）されることでフルカラーの顕像が形成される。中間転写ベルト７２の内側には４個の一次転写コロトロン（転写器）７４（７４K，７４C，７４M，７４Y）が配置される。各一次転写コロトロン７４は、これに対応する感光体ドラム７０から顕像を静電的に吸引することによって、感光体ドラム７０と一次転写コロトロン７４との間隙を通過する中間転写ベルト７２に顕像を転写する。
【００６０】
シート（記録材）７５は、ピックアップローラ７６１によって給紙カセット７６２から１枚ずつ給送され、中間転写ベルト７２と二次転写ローラ７７との間のニップに搬送される。中間転写ベルト７２の表面に形成されたフルカラーの顕像は、二次転写ローラ７７によってシート７５の片面に転写（二次転写）され、定着ローラ対７８を通過することでシート７５に定着される。排紙ローラ対７９は、以上の工程を経て顕像が定着されたシート７５を排出する。
【００６１】
以上に例示した画像形成装置は有機発光ダイオード素子を光源（露光手段）として利用しているので、レーザ走査光学系を利用した構成よりも装置が小型化される。なお、以上に例示した以外の構成の画像形成装置にも電気光学装置Ｈを適用することができる。例えば、ロータリ現像式の画像形成装置や、中間転写ベルトを使用せずに感光体ドラムからシートに対して直接的に顕像を転写するタイプの画像形成装置、あるいはモノクロの画像を形成する画像形成装置にも電気光学装置Ｈを利用することが可能である。
【００６２】
なお、電気光学装置Ｈの用途は像担持体の露光に限定されない。例えば、電気光学装置Ｈは、原稿などの読取対象に光を照射する照明装置として画像読取装置に採用される。この種の画像読取装置としては、スキャナ、複写機やファクシミリの読取部分、バーコードリーダ、あるいはＱＲコード（登録商標）のような二次元画像コードを読む二次元画像コードリーダがある。
【００６３】
また、電気光学素子がマトリクス状に配列された電気光学装置は、各種の電子機器の表示装置としても利用される。本発明が適用される電子機器としては、例えば、可搬型のパーソナルコンピュータ、携帯電話機、携帯情報端末（ＰＤＡ：Personal Digital Assistants）、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器などがある。
【図面の簡単な説明】
【００６４】
【図１】第１実施形態に係る電気光学装置の構成を示すブロック図である。
【図２】駆動回路および素子部の具体的な構成を示すブロック図である。
【図３】駆動信号Ｘ[i]の波形を例示するタイミングチャートである。
【図４】電流生成回路の構成を示すブロック図である。
【図５】第２実施形態に係る電気光学装置の構成を示すブロック図である。
【図６】駆動回路および素子部の具体的な構成を示すブロック図である。
【図７】第３実施形態に係る駆動回路および素子部の具体的な構成を示すブロック図である。
【図８】第４実施形態に係る駆動回路および素子部の具体的な構成を示すブロック図である。
【図９】変形例に係る駆動回路および素子部の具体的な構成を示すブロック図である。
【図１０】電子機器のひとつの形態（画像形成装置）を示す断面図である。
【符号の説明】
【００６５】
Ｈ……電気光学装置、１０……素子部、Ｅ……電気光学素子、２０……駆動回路、Ｕ……単位回路、Ｕa……独立型単位回路、Ｕb……従属型単位回路、２２……電流生成回路、Ｇ1，Ｇ2……素子列。
【図１】
2008036990.tif 000003
【図２】
2008036990.tif 000004
【図３】
2008036990.tif 000005
【図４】
2008036990.tif 000006
【図５】
2008036990.tif 000007
【図６】
2008036990.tif 000008
【図７】
2008036990.tif 000009
【図８】
2008036990.tif 000010
【図９】
2008036990.tif 000011
【図１０】
2008036990.tif 000012